(57)【要約】【課題】インターレース信号による立体映像を精細度が高いプログレッシブ信号に変換することが求められている。【解決手段】立体映像の左右映像信号のいずれか一方のインターレース映像信号と、前後のインターレース映像信号と、を用いて一方のインターレース映像信号の動きを示す動き判別信号を出力する動き判別部と、一方のインターレース映像信号と、他方のインターレース映像信号と、から両映像信号間の視差を検出する視差検出部と、視差と、他方のインターレース映像信号とから、一方の側の視差補償インターレース映像信号を生成する視差補償部と、動き判別信号、一方のインターレース映像信号、該インターレース映像信号とは時間的に異なるインターレース映像信号、視差補償インターレース映像信号と、を用いてインターレース映像信号をプログレッシブ映像信号に変換する補間部と、を備える。【選択図】図１
2011228928.tif 000002
【特許請求の範囲】
【請求項１】
インターレース信号により構成される立体映像の左右の映像信号を、それぞれプログレッシブ信号に変換する立体映像信号処理装置であって、
前記立体映像の左眼用、または、右眼用映像信号のいずれか一方のインターレース映像信号と、該インターレース映像信号と時間的に異なる別のインターレース映像信号と、の少なくとも一つを用いて該一方のインターレース映像信号の動きを示す動き判別信号を出力する動き判別部と、
前記一方のインターレース映像信号と、他方のインターレース映像信号と、から両映像信号間の視差を検出する視差検出部と、
前記視差に基づいて、前記他方のインターレース映像信号から、一方の側のインターレース映像信号である視差補償インターレース映像信号を生成する視差補償部と、
前記動き判別信号に基づいて、前記一方のインターレース映像信号と、該インターレース映像信号とは時間的に異なる別のインターレース映像信号と、前記視差補償インターレース映像信号と、を用いて前記インターレース映像信号をプログレッシブ映像信号に変換する補間部と、
を備える立体映像信号処理装置。
【請求項２】
前記動き判別部は、前記立体映像の左眼用、または、右眼用映像信号のいずれか一方のインターレース映像信号と、該インターレース映像信号より時間的に２フィールド前のインターレース映像信号と、を用いて該一方のインターレース映像信号の動きを示す動き判別信号を出力し、
前記補間部は、前記動き判別信号に基づいて、前記一方のインターレース映像信号と、該インターレース映像信号より時間的に２フィールド前のインターレース映像信号と、前記視差補償インターレース映像信号と、を用いて前記インターレース映像信号をプログレッシブ映像信号に変換する、
請求項１に記載の立体映像信号処理装置。
【請求項３】
前記動き判別部は、前記立体映像の左眼用、または、右眼用映像信号のいずれか一方のインターレース映像信号より時間的に１フィールド前のインターレース映像信号と、該一方のインターレース映像信号より時間的に１フィールド後のインターレース映像信号と、を用いて該一方のインターレース映像信号の動きを示す動き判別信号を出力し、
前記補間部は、前記動き判別信号に基づいて、前記一方のインターレース映像信号と、該インターレース映像信号より時間的に１フィールド前のインターレース映像信号または１フィールド後のインターレース映像信号との少なくとも一つと、前記視差補償インターレース映像信号と、を用いて前記インターレース映像信号をプログレッシブ映像信号に変換する、
請求項１に記載の立体映像信号処理装置。
【請求項４】
前記視差検出部は、左眼用のインターレース映像信号と右眼用のインターレース映像信号とで表示される同一の表示物の左右の表示位置の相違に基づいて視差を検出する際に、左眼用のインターレース映像信号で表示される表示物と、該表示物が左眼用のインターレース映像表示面で表示されている位置を基準位置として、右眼用のインターレース映像表示面における該基準位置から左側に表示される表示物と、を同一の表示部として視差を検出する、
請求項１乃至３のいずれかに記載の立体映像信号処理装置。
【発明の詳細な説明】
【技術分野】
【０００１】
本発明は、立体映像信号のＩＰ変換機能を有する立体映像信号処理装置に関する。
【背景技術】
【０００２】
飛び越し走査信号（以下インターレース信号）を順次信号（以下プログレッシブ信号）に変換するインターレース・プログレッシブ変換（以下ＩＰ変換）においては、画質改善のため、複数のフィールドに渡る映像信号から映像の動きを検出してその結果に基づいて走査線の補間を行う、動き適応インターレース・プログレッシブ変換（以下、動き適応ＩＰ変換）と呼ばれる方法が用いられる（特許文献１、特許文献２）。
【０００３】
図７のように立体映像信号として左眼用と右眼用の２系統のインターレース信号が並列に伝送される場合のＩＰ変換においても、画質改善のために動き適応ＩＰ変換を用いることが望ましい。
【０００４】
図８は立体映像信号に対応した従来のＩＰ変換システムの構成例である。図８において、８０１と８０２、と８１１と８１２は各々入力されるインターレース信号の１フィールド遅延信号を生成するフィールドメモリであり、８０３と８１３は立体映像信号の左右各々１フィールド前信号と１フィールド後信号を入力として動きのある映像か静止している映像かを判別して動き判別信号を出力する動き判別回路であり、８０４と８１４は各々現フィールド信号と１フィールド後信号と１フィールド前信号と前記動き判別信号を入力としてプログレッシブ信号を出力する補間回路である。
【０００５】
また図９は前記補間回路８０４と８１４における補間動作を示す。図８の従来のＩＰ変換システムの動作を、図９を用いて説明する。まず右眼用現フィールド（ｎフィールド）ので第ｍラインを（以下、位相（ｎ，ｍ）とする）を補間する場合を考える。位相（ｎ，ｍ）に対応する右眼用１フィールド後信号（ｎ＋１，ｍ）と右眼用１フィールド前信号（ｎ−１，ｍ）が動き判別回路８０３へ入力され両信号の差分等により動き判別が行われる。前記動き判別回路８０３で静止している映像と判別された場合は補間回路８０４において図９（ａ）のように前後フィールドの同じ位相にある信号から右眼用現フィールドの補間（フィールド間補間）が行われて右眼用プログレッシブ信号が出力される。反対に、前記動き判別回路８０３で動きのある映像と判別された場合は補間回路８０４において図９（ｂ）のように現フィールドの上下位相にある信号から右眼用現フィールドの補間（フィールド内補間）が行われる右眼用プログレッシブ信号が出力される。
【０００６】
後者の場合は、同じフィールド内でその上下に位置する２つのラインの画像データから生成するため、生成された画素データに時間のずれが生じにくくなり、動画表示の際に適切な画素の補間ができる。
【０００７】
前記動き判別回路８０３の出力は、静止している映像か、又は、動きのある映像の２値判別とは限らず、動きの大きさに応じて多値で出力されることがある。この場合は動きの大きさに応じて前記フィールド間補間と前記フィールド内補間で生成される映像の双方を用いて右眼用プログレッシブ信号が出力され、動きが大きいほど前記フィールド内補間で生成される映像が支配的であり、動きが小さいほど前記フィールド間補間で生成される映像が支配的となるように合成される。左眼用信号に対する処理も右眼用と同様であるのでここでは説明を省略する。
【０００８】
図１０は立体映像信号に対応した従来のＩＰ変換システムの別の構成例である。図１０において、１００１と１００２、と１０１１と１０１２は各々入力されるインターレース信号の１フィールド遅延信号を生成するフィールドメモリであり、１００３と１０１３は各々２フィールド前信号と現フィールド信号を入力として動きのある映像か静止している映像かを判別して動き判別信号を出力する動き判別回路であり、１００４と１０１４は各々現フィールド信号と１フィールド前信号と前記動き判別信号を入力としてプログレッシブ信号を出力する補間回路である。
【０００９】
また図１１は前記補間回路１００４と１０１４における補間動作を示す。図１０の従来のＩＰ変換システムの動作を図１１を用いながら説明する。まず右眼用現フィールドで補間される位相（ｎ、ｍ）の動き判別を行うため前記位相近傍に対応する右眼用２フィールド前信号（ｎ−２，ｍ−１）および（ｎ−２，ｍ＋１）と右眼用現フィールド信号（ｎ，ｍ−１）および（ｎ，ｍ＋１）が動き判別回路４０３へ入力され近傍位相（ｎ，ｍ−１）および（ｎ，ｍ＋１）の動きから位相（ｎ、ｍ）の動き判別が行われる。例えば（ｎ，ｍ−１）および（ｎ，ｍ＋１）が共に静止している映像であれば（ｎ、ｍ）も静止している映像と判別される。
【００１０】
前記動き判別回路１００３で静止している映像と判別された場合は補間回路１００４において図１１（ａ）のように右眼用１フィールド前信号の同じ位相にある信号から右眼用現フィールドの補間（フィールド間補間）が行われて右眼用プログレッシブ信号が出力される。また前記動き判別回路１００３で動きのある映像と判別された場合は補間回路１００４において図１１（ｂ）のように現フィールドの上下位相にある信号から右眼用現フィールドの補間（フィールド内補間）が行われる右眼用プログレッシブ信号が出力される。左眼用信号に対する処理も右眼用と同様であるのでここでは説明を省略する。
【先行技術文献】
【特許文献】
【００１１】
【特許文献１】特開平１０−１１２８４５号公報
【特許文献２】特開２００５−２７７５２３号公報
【発明の概要】
【発明が解決しようとする課題】
【００１２】
前記従来の技術によれば、静止している映像においては現フィールド信号では欠落している信号と相関が高い前後フィールドの信号により補間されるため垂直方法の精細度が高いプログレッシブ信号を生成可能となるが、動きのある映像では垂直方向の精細度が劣るプログレッシブ信号を生成してしまいフィールド間補間に比較して画質を損なう場合がある。
【課題を解決するための手段】
【００１３】
本出願の立体映像信号処理装置は、立体映像の左眼用、または、右眼用映像信号のいずれか一方のインターレース映像信号と、該インターレース映像信号と時間的に異なる別のインターレース映像信号と、の少なくとも一つを用いて該一方のインターレース映像信号の動きを示す動き判別信号を出力する動き判別部と、一方のインターレース映像信号と、他方のインターレース映像信号と、から両映像信号間の視差を検出する視差検出部と、視差に基づいて、他方のインターレース映像信号から、一方の側のインターレース映像信号である視差補償インターレース映像信号を生成する視差補償部と、動き判別信号に基づいて、前記一方のインターレース映像信号と、該インターレース映像信号とは時間的に異なる別のインターレース映像信号と、視差補償インターレース映像信号と、を用いてインターレース映像信号をプログレッシブ映像信号に変換する補間部と、を備える
【００１４】
上記において、動き判別部は、立体映像の左眼用、または、右眼用映像信号のいずれか一方のインターレース映像信号と、該インターレース映像信号より時間的に２フィールド前のインターレース映像信号と、を用いて該一方のインターレース映像信号の動きを示す動き判別信号を出力し、補間部は、前記動き判別信号に基づいて、一方のインターレース映像信号と、該インターレース映像信号より時間的に２フィールド前のインターレース映像信号と、前記視差補償インターレース映像信号と、を用いて前記インターレース映像信号をプログレッシブ映像信号に変換する、ものであってもよい。
【００１５】
上記において、動き判別部は、立体映像の左眼用、または、右眼用映像信号のいずれか一方のインターレース映像信号より時間的に１フィールド前のインターレース映像信号と、該一方のインターレース映像信号より時間的に１フィールド後のインターレース映像信号と、を用いて該一方のインターレース映像信号の動きを示す動き判別信号を出力し、補間部は、動き判別信号に基づいて、一方のインターレース映像信号と、該インターレース映像信号より時間的に１フィールド前のインターレース映像信号または１フィールド後のインターレース映像信号との少なくとも一つと、視差補償インターレース映像信号と、を用いてインターレース映像信号をプログレッシブ映像信号に変換する、ものであってもよい。
【００１６】
また、視差検出部は、左眼用のインターレース映像信号と右眼用のインターレース映像信号とで表示される同一の表示物の左右の表示位置の相違に基づいて視差を検出する際に、左眼用のインターレース映像信号で表示される表示物と、該表示物が左眼用のインターレース映像表示面で表示されている位置を基準位置として、右眼用のインターレース映像表示面における該基準位置から左側に表示される表示物と、を同一の表示部として視差を検出する、ことが好ましい。
【発明の効果】
【００１７】
上記解決手段により、動きのある映像であっても精細度が高いプログレッシブ信号を生成するＩＰ変換機能を備える立体映像信号処理装置を提供することが可能である。
【図面の簡単な説明】
【００１８】
【図１】実施の形態１におけるＩＰ変換システムの構成例を示す図
【図２】実施の形態１における視差検出動作の例を示す図
【図３】実施の形態１におけるＩＰ変換システムの補間方法選択動作の例を示す図
【図４】実施の形態１における視差情報の確からしさ情報に基づいて補間方法を選択する方法の例を示す図
【図５】実施の形態１におけるＩＰ変換システムの補間動作の例を示す図
【図６】実施の形態２におけるＩＰ変換システムの構成例を示す図
【図７】立体映像信号の並列伝送の例を示す図
【図８】従来の立体映像信号に対応した従来のＩＰ変換システムの構成例を示す図
【図９】従来のＩＰ変換システムの補間動作の例を示す図
【図１０】従来の立体映像信号に対応した従来のＩＰ変換システムの構成例を示す図
【図１１】従来のＩＰ変換システムの補間動作の例を示す図
【発明を実施するための形態】
【００１９】
（実施の形態１）
図１は本実施の形態におけるＩＰ変換システム（立体映像信号処理装置）の構成例を示す図である。図１において、１０１は右眼用第ｎフィールドのインターレース信号を入力して右眼用第ｎ−１フィールドのインターレース信号を出力するフィールドメモリであり、１０２は前記右眼用第ｎ−１フィールドのインターレース信号を入力して右眼用第ｎ−２フィールドのインターレース信号を出力するフィールドメモリであり、１１１は左眼用第ｎフィールドのインターレース信号を入力して左眼用第ｎ−１フィールドのインターレース信号を出力するフィールドメモリであり、１１２は前記左眼用第ｎ−１フィールドのインターレース信号を入力して左眼用第ｎ−２フィールドのインターレース信号を出力するフィールドメモリであり、１０３は前記右眼用第ｎフィールドのインターレース信号と前記右眼用第ｎ−２フィールドのインターレース信号を入力して動きのある映像か静止している映像かを判別して右眼用動き判別信号を出力する右眼用動き判別回路であり、１０５は前記右眼用第ｎフィールドのインターレース信号と前記左眼用第ｎフィールドのインターレース信号を入力して前記右眼用第ｎフィールドのインターレース信号に対する前記左眼用第ｎフィールドのインターレース信号の視差を検出して右眼用視差情報と前記右眼用視差情報の確からしさ情報を出力する右眼用視差検出回路であり、１０６は前記左眼用第ｎフィールドのインターレース信号と前記右眼用視差情報を入力して前記右眼用第ｎフィールドのインターレース信号に相当する映像位置に調整された前記左眼用第ｎフィールドのインターレース信号を出力する右眼用視差補償回路であり、１０４は前記右眼用第ｎフィールドのインターレース信号と前記右眼用第ｎ−１フィールドのインターレース信号と前記右眼用第ｎフィールドのインターレース信号に相当する映像位置に調整された前記左眼用第ｎフィールドのインターレース信号と前記右眼用動き判別信号と前記右眼用視差情報の確からしさ情報を入力して右眼用プログレッシブ信号を出力する補間回路であり、１１３は前記左眼用第ｎフィールドのインターレース信号と前記左眼用第ｎ−２フィールドのインターレース信号を入力して動きのある映像か静止している映像かを判別して左眼用動き判別信号を出力する左眼用動き判別回路であり、１１５は前記左眼用第ｎフィールドのインターレース信号と前記右眼用第ｎフィールドのインターレース信号を入力して前記左眼用第ｎフィールドのインターレース信号に対する前記右眼用第ｎフィールドのインターレース信号の視差を検出して左眼用視差情報と前記左眼用視差情報の確からしさ情報を出力する左眼用視差検出回路であり、１１６は前記右眼用第ｎフィールドのインターレース信号と前記左眼用視差情報を入力して前記左眼用第ｎフィールドのインターレース信号に相当する映像位置に調整された前記右眼用第ｎフィールドのインターレース信号を出力する左眼用視差補償回路であり、１１４は前記左眼用第ｎフィールドのインターレース信号と前記左眼用第ｎ−１フィールドのインターレース信号と前記左眼用第ｎフィールドのインターレース信号に相当する映像位置に調整された前記右眼用第ｎフィールドのインターレース信号と前記左眼用動き判別信号と前記前記左眼用視差情報の確からしさ情報を入力して左眼用プログレッシブ信号を出力する補間回路である。
【００２０】
以上のように構成された映像信号補正システムについて以下その動作説明を図１から図５を参照して行う。図１のフィールドメモリ１０１、フィールドメモリ１０２、フィールドメモリ１１１、フィールドメモリ１１２、動き判別回路１０３、動き判別回路１１３は各々図１０のフィールドメモリ１００１、フィールドメモリ１００２、フィールドメモリ１０１１、フィールドメモリ１０１２、動き判別回路１００３、動き判別回路１０１３と同様であるので説明を省略する。
【００２１】
視差検出回路１０５では、右眼用のインターレース信号に相当する映像位置に調整された左眼用のインターレース信号を生成するために必要な左右映像信号の視差を検出する。第ｎフィールドにおいては第ｍラインの左眼用のインターレース信号は存在しているが、第ｍラインの右眼用のインターレース信号は欠落しているため、直接に第ｍラインの左眼用のインターレース信号と第ｍラインの右眼用のインターレース信号を用いて視差を検出することができない。そのため例えば隣接する第ｍ−１ラインおよび第ｍ＋１ラインの右眼用のインターレース信号から視差検出のための映像信号を生成して、この視差検出のための信号と第ｍラインの左眼用のインターレース信号から視差を検出する。
【００２２】
図２は第ｍラインにおける視差情報についての説明図である。図２（ａ）は右眼用第ｎフィールドのインターレース信号の第ｍ−１ラインと第ｍ＋１ラインの映像信号から画素ごとに上下２画素の平均値を算出して生成した視差検出のための映像信号であり、図２（ｂ）は左眼用第ｎフィールドのインターレース信号の第ｍラインの映像信号である。
【００２３】
視差情報を検出する具体的な方法として、例えば右眼用視差検出のための映像信号の第ｋ番目の画素Ｒ（ｋ）と前後３画素を含む映像信号と、左眼用映像信号の第ｘ番目の画素Ｌ（ｘ）と前後３画素を含む映像信号と、の各画素について差分の絶対値の総和Ｓ（ｘ）を算出してＳ（ｘ）が最小となるｘを探索することで視差情報ｘ−ｋを検出する。
このときＳ（ｘ）は、
Ｓ（ｘ）＝Σ｛｜Ｌ（ｋ−ｉ）−Ｒ（ｘ−ｉ）｜｝
（ただしｉ＝−３、−２、−１、・・・、３）
である。
【００２４】
特にレンズ光軸を平行に保つ平行法で撮像された立体映像信号である場合には、右眼用インターレース信号における映像に対応する左眼用インターレース信号における映像の表示位置ｘは、前記右眼用インターレース信号における映像の表示位置ｋよりも右側にある。よってｘの探索範囲はｋ＜ｘとするのが処理速度向上の観点から効果的である。
【００２５】
図２において右眼用映像信号の第ｋ番目の画素に対応する左眼用映像信号は第ｋ＋２番目の画素であり、その視差情報は＋２となる。視差情報に少数点以下の情報が含まれる場合は整数に丸めることができる。なお、ここで述べた視差情報検出手段は一例であり、たとえば別の手法としてブロックマッチングの手法を用いて視差を算出しても良い。
【００２６】
また視差検出回路１０５はこのＳ（ｘ−ｋ）の値を前記視差情報の確からしさ情報として出力する。このときＳ（ｘ−ｋ）が小さいほど前記視差情報の確からしさは高くなり、左右映像信号の間の相関が高いことを意味する。反対にＳ（ｘ−ｋ）が大きいほど前記視差情報の確からしさは低くなり、左右映像信号の間の相関が低いことを意味する。
【００２７】
視差補償回路１０６では、前記視差情報に基づいて右眼用のインターレース信号に相当する映像位置に調整された左眼用のインターレース信号を生成する。すなわち第ｍラインにおいて、右眼用映像信号の第ｋ番目の画素における視差情報が＋２であるとき、右眼用映像信号の第ｋ番目の画素に対応する左眼用のインターレース信号として左眼用映像信号の第ｋ＋２番目の画素の映像信号を出力する。
【００２８】
補間回路１０４は、前記動き判別回路１０３の出力である動き判別信号と前記視差検出回路１０５の出力である視差情報の確からしさ情報を入力として補間方法を選択して右眼用プログレッシブ信号を出力する。
【００２９】
図３は補間方法選択動作の例を示す。図３（ａ）は従来の補間方法選択動作であり、図３（ｂ）は本実施の形態における補間方法選択動作である。従来は前記動き判別信号に基づいて、静止している映像と判別された場合は右眼用インターレース信号を用いてフィールド間補間を行い、動きのある映像と判別された場合は右眼用インターレース信号を用いてフィールド内補間を行うものであった。
【００３０】
本実施の形態では、まず前記動き判別信号に基づいて静止している映像と判別された場合は図１１（ａ）のように右眼用インターレース信号を用いてフィールド間補間を行い、動きのある映像と判別された場合は、次に前記視差情報の確からしさ情報に基づいて、図１１（ｂ）のように右眼用インターレース信号を用いてフィールド内補間を行うか、右眼用のインターレース信号に相当する映像位置に調整された左眼用のインターレース信号を用いて補間を行うかを選択する。
【００３１】
図４は視差情報の確からしさ情報に基づいて補間方法を選択する方法の例である。視差情報の確からしさ情報Ｓ（ｘ−ｋ）が予め設定される視差情報の確からしさの閾値Ｔより小さい場合は、左右映像信号の間の相関が高いため右眼用のインターレース信号に相当する映像位置に調整された左眼用のインターレース信号を用いて補間を行う。反対に、視差情報の確からしさ情報Ｓ（ｘ−ｋ）が予め設定される視差情報の確からしさの閾値Ｔ以上の場合は、左右映像信号の間の相関が低いため右眼用インターレース信号を用いてフィールド内補間を行う。
【００３２】
図５は右眼用のインターレース信号に相当する映像位置に調整された左眼用のインターレース信号を用いて補間を行う場合の補間動作を示す。左右映像信号の間の相関が高い場合（視差情報の確からしさ情報Ｓ（ｘ−ｋ）の値が所定の閾値Ｔより小さい場合）は、従来の図１１（ｂ）のフィールド内補間に比較して精細度の高いプログレッシブ信号を生成することができる。
【００３３】
左眼用信号に対する処理も右眼用と同様であるのでここでは説明を省略する。
以上のように、視差検出手段と視差補償手段を備え左右映像信号の間の相関が高い場合に左眼用のインターレース信号を用いて右眼用のインターレース信号に欠落した情報を補間することによって動きのある映像であっても精細度が高いプログレッシブ信号を生成するＩＰ変換機能を備える立体画像処理装置を提供することが可能である。
【００３４】
（実施の形態２）
図６は本実施の形態におけるＩＰ変換システムの構成例である。図６において、６０１は右眼用第ｎ＋１フィールドのインターレース信号を入力して右眼用第ｎフィールドのインターレース信号を出力するフィールドメモリであり、６０２は前記右眼用第ｎフィールドのインターレース信号を入力して右眼用第ｎ−１フィールドのインターレース信号を出力するフィールドメモリであり、６１１は左眼用第ｎ＋１フィールドのインターレース信号を入力して左眼用第ｎフィールドのインターレース信号を出力するフィールドメモリであり、６１２は前記左眼用第ｎフィールドのインターレース信号を入力して左眼用第ｎ−１フィールドのインターレース信号を出力するフィールドメモリであり、６０３は前記右眼用第ｎ＋１フィールドのインターレース信号と前記右眼用第ｎ−１フィールドのインターレース信号を入力して動きのある映像か静止している映像かを判別して右眼用動き判別信号を出力する右眼用動き判別回路であり、６０５は前記右眼用第ｎフィールドのインターレース信号と前記左眼用第ｎフィールドのインターレース信号を入力して前記右眼用第ｎフィールドのインターレース信号に対する前記左眼用第ｎフィールドのインターレース信号の視差を検出して右眼用視差情報と前記右眼用視差情報の確からしさ情報を出力する右眼用視差検出回路であり、６０６は前記左眼用第ｎフィールドのインターレース信号と前記右眼用視差情報を入力して前記右眼用第ｎフィールドのインターレース信号に相当する映像位置に調整された前記左眼用第ｎフィールドのインターレース信号を出力する右眼用視差補償回路であり、６０４は前記右眼用第ｎフィールドのインターレース信号と前記右眼用第ｎ−１フィールドのインターレース信号と前記右眼用第ｎ＋１フィールドのインターレース信号と前記右眼用第ｎフィールドのインターレース信号に相当する映像位置に調整された前記左眼用第ｎフィールドのインターレース信号と前記右眼用動き判別信号と前記前記右眼用視差情報の確からしさ情報を入力して右眼用プログレッシブ信号を出力する補間回路であり、６１３は前記左眼用第ｎ＋１フィールドのインターレース信号と前記左眼用第ｎ−１フィールドのインターレース信号を入力して動きのある映像か静止している映像かを判別して左眼用動き判別信号を出力する左眼用動き判別回路であり、６１５は前記左眼用第ｎフィールドのインターレース信号と前記右眼用第ｎフィールドのインターレース信号を入力して前記左眼用第ｎフィールドのインターレース信号に対する前記右眼用第ｎフィールドのインターレース信号の視差を検出して左眼用視差情報と前記左眼用視差情報の確からしさ情報を出力する左眼用視差検出回路であり、６１６は前記右眼用第ｎフィールドのインターレース信号と前記左眼用視差情報を入力して前記左眼用第ｎフィールドのインターレース信号に相当する映像位置に調整された前記右眼用第ｎフィールドのインターレース信号を出力する左眼用視差補償回路であり、６１４は前記左眼用第ｎフィールドのインターレース信号と前記左眼用第ｎ−１フィールドのインターレース信号と前記左眼用第ｎ＋１フィールドのインターレース信号と前記左眼用第ｎフィールドのインターレース信号に相当する映像位置に調整された前記右眼用第ｎフィールドのインターレース信号と前記左眼用動き判別信号と前記前記左眼用視差情報の確からしさ情報を入力して左眼用プログレッシブ信号を出力する補間回路である。
【００３５】
以上のように構成された映像信号補正システムについて以下その動作説明を、図６を参照して行う。図６のフィールドメモリ６０１、フィールドメモリ６０２、フィールドメモリ６１１、フィールドメモリ６１２、動き判別回路６０３、動き判別回路６１３は各々図８のフィールドメモリ８０１、フィールドメモリ８０２、フィールドメモリ８１１、フィールドメモリ８１２、動き判別回路８０３、動き判別回路８１３と同様であるので説明を省略する。
【００３６】
また、図６の視差検出回路６０５、視差検出回路６１５、視差補償回路６０６、視差補償回路６１６、補間回路６０４、補間回路６１４は各々図１の視差検出回路１０５、視差検出回路１１５、視差補償回路１０６、視差補償回路１１６、補間回路１０４、補間回路１１４と同様であるので説明を省略する。
【００３７】
以上のように、視差検出手段と視差補償手段を備え右眼用動き判別信号から左眼用動き判別信号を生成することによって左右表示画像間に不整合が少ないＩＰ変換機能を有する立体画像処理装置を提供することが可能である。
【産業上の利用可能性】
【００３８】
以上のように本発明の表示装置は、前記した方式により動きのある映像であっても精細度が高いプログレッシブ信号を生成するＩＰ変換機能を備える立体画像処理装置を提供することが可能となり、その実用的効果は大きい。
【００３９】
なお、実施の形態１、及び、２のいずれにおいもて、インターレース・プログレッシブ変換を実現する具体的な構成の一例として回路構成を用いた場合を示したが、本発明はこれに限定するものではない。上記回路構成の一部、又は、全部をソフトウェア等による処理で実現することも可能である。上記の回路構成を機能単位で実現する場合には、「動き判別回路」、「補間回路」、「視差検出回路」、「視差補償回路」はそれぞれ、「動き判別部」、「補間部」、「視差検出部」、「視差補償部」として構成される。
【符号の説明】
【００４０】
１０１、１０２、１１１、１１２、６０１、６０２、６１１、６１２  フィールドメモリ
１０３、１１３、６０３、６１３  動き判別回路
１０４、１１４、６０１、６１４  補間回路
１０５、１１５、６０５、６１５  視差検出回路
１０６、１１６、６０６、６１６  視差補償回路
【図１】
2011228928.tif 000003
【図３】
2011228928.tif 000004
【図４】
2011228928.tif 000005
【図６】
2011228928.tif 000006
【図８】
2011228928.tif 000007
【図１０】
2011228928.tif 000008
【図２】
2011228928.tif 000009
【図５】
2011228928.tif 000010
【図７】
2011228928.tif 000011
【図９】
2011228928.tif 000012
【図１１】
2011228928.tif 000013